(57)【要約】  車両ボデーのドア開口部にスライドドア(３)を備えた車両のためのスライドドア装置であって、ドア開口部近傍で車両ボデーの表面又は内部に取付可能なガイドレール(１)と、保持アーム(５)によりスライドドア(３)に結合されてガイドレール(１)に沿って移動可能なガイドエレメント(２)と、電気配線(20)を収容して車両ボデー側の接続部からスライドドア(３)側の接続部へと導くために相互に枢動可能に連結された複数のリンク部材(16)からなるケーブル収容具(15)とを備え、ケーブル収容具(15)がガイド構体の内部で案内されている。省スペースな小型構造を有し、スライドドアに開閉駆動エネルギーを供給するためのケーブル収容具を追加的に組み込むのに適したスライドドア装置を提供するため、ケーブル収容具(15)のためのガイド構体がスライドドア(３)のガイドエレメント(２)のためのガイドレール(１)に一体化されている。
2007529354.tif 000002
【特許請求の範囲】
【請求項１】
車両ボデーのドア開口部にスライドドア（３）を備えた車両のためのスライドドア装置であって、ドア開口部の近傍で車両ボデーの表面又は内部に取付可能なガイドレール（１；３０；３３）と、保持アーム（５；３２；３４）によりスライドドア（３）に結合されてガイドレール（１；３０；３３）に沿って移動可能なガイドエレメント（２）と、電気配線（２０）を収容して車両ボデー側の接続部からスライドドア（３）側の接続部へと導くために相互に枢動可能に連結された複数のリンク部材（１６）からなるケーブル収容具（１５）とを備え、ケーブル収容具（１５）がガイド構体の内部で案内されているものにおいて、ケーブル収容具（１５）のためのガイド構体がスライドドア（３）のガイドエレメント（２）のためのガイドレール（１；３０；３３）に一体化されていることを特徴とするスライドドア装置。
【請求項２】
開閉時にスライドドア（３）が通過する領域内における車両ボデーの表面又は内部にガイドレール（１；３０）が配置され、スライドドア（３）の車両後部側に向いた後端部に保持アーム（５；３２）が配置されていることを特徴とする請求項１に記載のスライドドア装置。
【請求項３】
ガイドレール（３３）がドア開口部に沿って車両ボデーの下部領域の表面又は内部に配置され、保持アーム（３４）がスライドドア（３）の車両前部側に向いた前端部に配置されていることを特徴とする請求項１に記載のスライドドア装置。
【請求項４】
ガイドレールがドア開口部に沿って車両ボデーの上部領域の表面又は内部に配置され、保持アームがスライドドアの前端部に配置されていることを特徴とする請求項１に記載のスライドドア装置。
【請求項５】
保持アーム（５；３２；３４）が、ほぼ垂直な軸心周りで互いに枢動可能に連結された２つのアーム部材を有しているか、或いはスライドドア（３）に枢動可能に取り付けられていることを特徴とする請求項１〜４のいずれか１項に記載のスライドドア装置。
【請求項６】
ガイドレール（３０、３３）が、車両前部側に向いた前端部にほぼ水平面内で延在する湾曲部（３１、３５）を有することを特徴とする請求項１〜５のいずれか１項に記載のスライドドア装置。
【請求項７】
ケーブル収容具（１５）の一端が接続エレメントを介してガイドエレメント（２）に連結されていることを特徴とする請求項１〜６のいずれか１項に記載のスライドドア装置。
【請求項８】
接続エレメントがガイドエレメント（２）に対してほぼ垂直な軸心周りに枢動可能であることを特徴とする請求項６及び７に記載のスライドドア装置。
【請求項９】
電気配線（２０）がケーブル収容具の一端から導出されて保持アーム（５；３２、３４）を介してスライドドア（３）に通されていることを特徴とする請求項１〜８のいずれか１項に記載のスライドドア装置。
【請求項１０】
ガイドレール（１；３０、３３）が長手方向に延在する開口部を備えたガイド溝を有すると共に該ガイド溝内を保持アーム（５、３２、３４）が通過可能であり、ガイドエレメント（２）が少なくとも１つの転子（１１）を有すると共に該転子がほぼ水平な軸心周りで回転可能にガイドレール（１；３０；３３）のガイド溝内に配置されて保持アーム（５；３２；３４）に取り付けられていることを特徴とする請求項１〜９のいずれか１項に記載のスライドドア装置。
【請求項１１】
ケーブル収容具（１５）が端部リンク部材（１７）を有し、この端部リンク部材が弓形部を介して保持アームの一部、特にガイドレール（３０；３３）内に延在する保持アーム部分（３２；３４）に結合され、弓形部が端部リンク部材（１７）及び／又はガイドレール（３０；３３）内に延在する保持アーム部分（３２；３４）にほぼ垂直な軸心周りで枢動可能に取り付けられていることを特徴とする請求項８及び１０に記載のスライドドア装置。
【請求項１２】
ガイドレール又はガイド構体の車両端部側に向いた一端にケーブル収容具（１５）のための方向転換部が設けられ、この方向転換部によってケーブル収容具が車両端部へ向って移動したときに予め定められた方向に所定角度だけ方向転換され、方向転換部には溝形ガイドが接続され、この溝形ガイド内をケーブル収容具（１５）の方向転換された部分が第１走行部（２３）として延在し、ケーブル収容具は第１の走行部に続く予め定められた半径のほぼ半円形の弧状転回部（２４）及び該弧状転回部に続く第２走行部（２５）を形成し、第２走行部の端部が車両ボデーに固定的に連結されていることを特徴とする請求項１〜１１のいずれか１項に記載のスライドドア装置。
【請求項１３】
ケーブル収容具（１５）のための方向転換部がガイドレール又はガイド構体の車両後部側に向いた後端部に設けられ、該方向転換部によってケーブル収容具が車両後部へ向けて移動したときに予め定められた方向に所定角度だけ方向転換されることを特徴とする請求項１２に記載のスライドドア装置。
【請求項１４】
ケーブル収容具（１５）のための方向転換部が、車両端部側に向いたガイドレールの端部又はガイド構体の溝形ハウジング状部分（２１ａ）からなることを特徴とする請求項１２又は１３に記載のスライドドア装置。
【請求項１５】
車両端部側に向いたガイドレール端部又はガイド構体端部におけるケーブル収容具（１５）の第１走行部の方向転換の角度範囲が約９０°又は約１２０〜１８０°に亘っていることを特徴とする請求項１２〜１４のいずれか１項に記載のスライドドア装置。
【請求項１６】
車両端部側に向いたガイドレール端部又はガイド構体端部におけるケーブル収容具（１５）の第１走行部の方向転換の湾曲と、第１走行部と第２走行部との間におけるケーブル収容具（１５）のほぼ半円形の弧状転回部とが、ケーブル収容具（１５）の長手方向に関して同一方向の曲がりを形成していることを特徴とする請求項１２〜１５のいずれか１項に記載のスライドドア装置。
【請求項１７】
スライドドアに隣接してほぼ水平に導かれるケーブル収容具（１５）が方向転換部においてほぼ垂直な方向又はスライドドアの開方向への移動方向とは逆の方向に方向転換されることを特徴とする請求項１２〜１６のいずれか１項に記載のスライドドア装置。
【請求項１８】
溝形ガイドがほぼ直方体状の細長いガイドハウジング（２２）として構成され、ガイドハウジングの一端にはケーブル収容具（１５）の方向転換された部分を挿通するための開口が設けられ、ガイドハウジング内の互いに対面する２つの長手内側面でケーブル収容具の第１及び第２走行部（２３、２５）の各外側面が案内されていることを特徴とする請求項１２〜１７のいずれか１項に記載のスライドドア装置。
【請求項１９】
溝形ガイドが車両ボデーの支柱内に設けられていることを特徴とする請求項１２〜１８のいずれか１項に記載のスライドドア装置。
【請求項２０】
スライドドア（３）をガイドレール（１；３０；３３）に沿って移動させる駆動装置を更に備えたことを特徴とする請求項１〜１９のいずれか１項に記載のスライドドア装置。
【請求項２１】
駆動装置が車両ボデー側に配置された可逆モータと該モータによって駆動される牽引装置とを有し、牽引装置がガイドレール（１；３０；３３）の長手方向でガイドエレメント（２）又は保持アーム（５；３２；３４）に結合され、牽引装置によってガイドエレメント（２）又は保持アーム（５；３２；３４）が可逆モータの回転方向に応じてガイドレール（１；３０；３３）に沿って双方向に移動可能であることを特徴とする請求項２０に記載のスライドドア装置。
【請求項２２】
牽引装置がガイドエレメント（２）又は保持アーム（５；３２；３４）の両端部にそれぞれ連結された２つの牽引ケーブル（２８；２９）を有し、各牽引ケーブルがガイドレール（１；３０；３３）に沿って延設されると共に、各牽引ケーブルの各他端が、可逆モータの回転方向に応じて一方又は他方の牽引ケーブル（２８、２９）に牽引力を印加する駆動ユニットに連結されていることを特徴とする請求項２１に記載のスライドドア装置。
【請求項２３】
牽引装置が可逆モータによりピニオンを介して駆動可能な歯付ベルトによって構成されていることを特徴とする請求項２１に記載のスライドドア装置。
【請求項２４】
駆動ユニットが、スライドドア（３）内に配置されたモータと、このモータによって駆動されるように保持アームに設けられたピニオンと、このピニオンと噛み合うようにガイドレール（１；３０；３３）上に長手方向に配列された歯列とを有することを特徴とする請求項２０〜２３のいずれか１項に記載のスライドドア装置。
【請求項２５】
スライドドアの移動を案内するために少なくとも１つの第２ガイドレール（７）がドア開口部に沿って該開口部の上部及び／又は下部で車両ボデー側に配置されると共に、第２ガイドレール（７）に沿って移動可能な第２ガイドエレメント（８）が設けられ、この第２ガイドエレメントが第２保持アーム（９）を介してスライドドア（３）の車両前部側に向いた前端部に連結されていることを特徴とする請求項１〜２４のいずれか１項に記載のスライドドア装置。
【請求項２６】
ケーブル収容具（１５）のガイドエレメント（２）に隣接する部分（１５ａ）が直接にガイドエレメント（２）の軌道内を移動することを特徴とする請求項１〜２５のいずれか１項に記載のスライドドア装置。
【発明の詳細な説明】
【技術分野】
【０００１】
本発明は、車両ボデーのドア開口部にスライドドア（３）を備えた車両のためのスライドドア装置に関し、特にドア開口部の近傍で車両ボデーの表面又は内部に取付可能なガイドレールと、保持アームによりスライドドアに結合されてガイドレールに沿って移動可能なガイドエレメントと、電気配線を収容して車両ボデー側の接続部からスライドドア側の接続部へと導くために相互に枢動可能に連結された複数のリンク部材からなるケーブル収容具とを備え、ケーブル収容具がガイド構体の内部で案内されている形式のスライドドア装置に関する。
【背景技術】
【０００２】
この種のスライドドア装置は特許文献１により公知である。この公知のスライドドアの前部、即ち車両前部側に向いた部分には上部及び下部保持アームが設けられ、各保持アームにはそれぞれガイド転子がガイドエレメントとして取り付けられている。これらのガイド転子は、それぞれドア開口部の上方と下方で車両ボデーのガイドレール内を移動可能である。ドアを開放する際にはスライドドアをドア開口部から引き出し、また閉鎖する際にはドア開口部に引き込む目的で、ガイドレールはその前端部が車両室内側へ湾曲されている。
【特許文献１】欧州特許出願公開第１０１０５５８号明細書
【０００３】
また、特許文献１から明らかなように、下部保持アームに取り付けられた転子のための下部ガイドレールと平行な位置関係でドア開口部側に溝が設けられ、この溝の内部でケーブル収容具が案内されている。ケーブル収容具は相互に枢動可能に連結された複数のチェーンリンク部材からなるエネルギーガイドチェーンとして構成されており、一端部で車両ボデーに固定された略直線状の下側走行部と、一端部でスライドドアの下部保持アームに固定された略直線状の上側走行部とを形成している。上側走行部と下側走行部とはエネルギーガイドチェーンの弧状転回部を介して一連に連結されている。
【０００４】
特許文献１に開示されているエネルギーガイドチェーンは、例えばスライドドア用駆動電動機など、スライドドア内に配置された種々の電気機器に電気エネルギーを供給するための電気配線を収容して車両ボデー側の接続部からスライドドア側の下部保持アームの接続部へと導いている。
【０００５】
このように、ガイドレール及びその内部で転動する転子、更にはガイド構体及びその内部で案内されるエネルギーガイドチェーンを装備したシステムは、車両ボデーのドア開口部近辺に相応に大きなスペースを必要とし、特にエネルギーガイドチェーンのガイド構体を配置するための充分な空間をガイドレールとドア開口部の間に必要とする。このため、電動ドア開閉機構をオプション装備としてガイド構体とケーブル収容具とからなるユニットを追加的に設置しようとする場合に装着に利用可能な空間が問題となることがあり、この場合は該当箇所における車両ボデーの構造を改変する必要が生じる。
【発明の開示】
【発明が解決しようとする課題】
【０００６】
本発明の課題は、省スペースな小型構造を有し、スライドドアに開閉駆動エネルギーを供給するためのケーブル収容具を追加的に組み込むのに適したスライドドア装置を提供することである。
【課題を解決するための手段】
【０００７】
本発明によれば、この課題は、冒頭に指摘した種類のスライドドア装置において、スライドドアのガイドエレメントのためのガイドレールにケーブル収容具を一体化することによって解決される。
【０００８】
このような措置をとることにより、ガイドレールとガイド構体とを個別に配置する必要がなくなるので、スライドドアのガイドレールとケーブル収容具のガイド構体との設置に必要な空間をかなり減少させることができる。また、ケーブル収容具のためのガイド構体を製作するために特別なコストもかからず、スライドドアにドア電動開閉用エネルギーを供給するための適宜なケーブル収容具をスライドドアのために設けられているガイドレール内に追加的に設置することが可能となる。
【０００９】
本発明によれば、スライドドアのためのガイドエレメントも、そしてケーブル収容具の走行部も、ともに単一の構造体として構成可能なガイド構体内を移動する。ケーブル収容具は好ましくはその一端がガイドエレメント又はスライドドア用保持アームに結合されており、この固定された端部から電気配線を導出して保持アームを介してスライドドア内へ通すことができる。
【００１０】
ケーブル収容具の他端には車両ボデーへの固定連結部が設けられ、これら両端間の領域では相互に枢動可能に連結された複数のリンク部材によって可撓性のケーブル収容具が形成され、従ってケーブル収容具はその一端側にほぼ直線状の第１走行部を、続いてほぼ半円形の弧状転回部を介してほぼ直線状の第２走行部を形成してガイド構体内を移動する。ケーブル収容具の可動側端部である一端部を第１走行部側へ移動させるとこの第１走行部が短くなりながら第２走行部が長くなり、逆方向へ移動させたときには第１走行部が長くなって第２走行部が短くなる。
【００１１】
ガイドレール又はガイド構体内で可能な限り多くのスペースを節約するためには、ガイドエレメント又はスライドドア保持アームに結合された第１走行部のみがガイドレール又はガイド構体内に存在する一方、弧状転回部とこれに続く第２走行部がガイドレール及びガイド構体の外部に延在するように構成することが好ましい。この構成では、車両ボデーに対する第２走行部の固定連結部はガイドレール及びガイド構体の外部に配置される。ケーブル収容具に関して、ガイドレール及びガイド構体の外部に延在する第１走行部の残部と、それに続く弧状転回部及び第２走行部は、ガイドレール及びガイド構体に結合されたハウジング内で案内することができる。また、第１走行部に関して、ガイドレール及びガイド構体の外部に延在する部分をガイド構体内で案内される部分と直線状に延在させてもよく、この第１走行部と平行に第２走行部を延在させてもよい。但し、車両ボデーの構造とスペース上の理由から、第１走行部に関してガイドレール及びガイド構体の外部に延在する部分を或る定められた角度だけ所定の方向へ、例えば車両ボデーの支柱内へ向けて方向転換させ、それによってこの第１走行部の一部と弧状転回部及び第２走行部のためのガイドハウジングをガイド構体に隣接する位置に配置できるようにすることが好ましい場合もある。このような第１走行部の方向転換は、ケーブル収容具のための相応する方向転換部によって達成することができる。
【００１２】
ケーブル収容具が或る１平面内でのみ互いに枢動可能に連結された複数のリンク部材からなり、各リンク部材の枢動軸心が全て互いに平行に延在している場合、第１走行部の方向転換もこの平面内で行われる。特に、この方向転換は、例えば車両ボデーの支柱内で行われる場合など、各リンク部材の枢動軸心が水平に向くようにケーブル収容具がガイドレール内に配置されている場合には９０°上向き又は下向きとすることができる。この場合のケーブル収容具において、方向転換を１８０°上向き又は下向きとすることもできる。
【００１３】
各リンク部材の枢動軸心が垂直に向くようにケーブル収容具がガイドレール内に配置されている場合も方向転換を水平面内で好適な角度範囲に亘って果たすことが可能である。ケーブル収容具の各リンク部材が１平面内で互いに枢動可能に互いに連結されているだけでなく、この平面と交差する方向の別の枢動自由度も有している場合、方向転換はあらゆる任意の空間方向に可能となる。
【００１４】
特に、ガイドレール及びガイド構体は、ドア開閉時にスライドドアが通過する領域内における車両ボデーの表面又は内部に配置することができる。この場合、スライドドアの保持アームは、スライドドアの後端部、即ち車両後部側に向いた端部に配置される。
【００１５】
一方、ガイドレール及びガイド構体はドア開口部に沿って車両ボデーの下部領域又は上部領域の表面又は内部に配置するくこともでき、その場合の保持アームは、スライドドアの前端部、即ち車両前部側に向いた端部に配置される。
【００１６】
スライドドアを開閉のためにドア開口部からボデー外方もしくはドア開口部内へと移動させなければならない場合、保持アームをスライドドアに固定している個所とガイドレールとの間の間隔が変化するので、保持アームはほぼ垂直な軸心周りで互いに枢動可能に連結された２つのアーム部品を備えていることが好ましい。或いはまた、保持アームを別の枢動軸心周りで枢動できるようにスライドドア及び／又はガイドエレメントに取り付けてもよい。
【００１７】
スライドドアの開閉時にドア開口部の面に直交する方向に作用する運動成分を補償するため、ガイドレールはその前端部、即ち車両前部側に向いた端部にほぼ水平面内で延在する湾曲部を有することが好ましい。
【００１８】
本発明の好ましい一実施形態においては、ケーブル収容具の可動側の一端が接続エレメントを介してガイドエレメント又は保持アームに連結されている。
【００１９】
ガイドレールの前端部に水平面内で延在する湾曲部が設けられている場合、接続エレメントはガイドエレメントに対してほぼ垂直な軸心周りに枢動可能に構成されていることが好ましい。
【００２０】
ガイドレール端部の湾曲部に追従させるため、ケーブル収容具の各リンク部材は少なくとも該湾曲部の領域で水平面内において或る与えられた角度に亘って互いに枢動可能に連結しておけばよい。この目的で、ケーブル収容具は各リンク部材相互の枢動軸心がが垂直方向に向くようにガイドレール内に配列しておくことが好ましい。各リンク部材の枢動軸心が水平面内にある場合には、この平面内における各リンク部材に付加的な方向の枢動可能性を与えておくことが必要である。
【００２１】
但し、ケーブル収容具の各リンク部材の水平面内における枢動は、移動経路のいずれの位置においてもガイドレールの直線区間内に留まっているケーブル収容具によって阻止することができる。この目的で、ケーブル収容具の対応する端部を長手方向に延在する接続エレメントによってガイドエレメント又は保持アームから離間させ、これらが移動経路の末端位置に達したときに前記端部がガイドレールの直線区間内で停止するようにしてもよい。
【００２２】
本発明の好ましい一実施形態においては、ケーブル収容具の可動側の端部から電気配線が導出されて保持アームを介してスライドドアに通されている。この目的で、適合する固定具及び／又は電気配線を保護するガイドを保持アームに設けておいてもよい。
【００２３】
特に好適な構成において、ガイドレールは長手方向に延在する開口部を備えたガイド溝を有すると共にこのガイド溝内を保持アームが通過可能である。この場合、好ましくはガイドエレメントが少なくとも１つの転子を有すると共に該転子がほぼ水平な軸心周りで回転可能にガイドレールのガイド溝内に配置されて保持アームに取り付けられている。
【００２４】
ケーブル収容具の好適な構成において、ケーブル収容具は端部リンク部材を有し、この端部リンク部材が弓形部を介して保持アーム、特にガイドレール内に延在する保持アーム部分に結合されている。特にガイドレールが水平面内の湾曲部を有する場合、弓形部は端部リンク部材及び／又はガイドレール内に延在する保持アーム部分にほぼ垂直な軸心周りで枢動可能に取り付けられる。
【００２５】
好ましくはケーブル収容具の少なくともガイドエレメントに隣接する部分又は全体がその方向転換部分に達するまで直接にガイドエレメントの軌道内を移動する。従って、スライドドアのガイドエレメントのためのガイドレールは実質的に或いは全く拡げる必要がない。
【００２６】
好ましくは、ガイドレールの車両端部側に向いた一端、即ち車両前部又は車両後部側に向いた端部にはケーブル収容具のための方向転換部が設けられ、この方向転換部によってケーブル収容具が車両端部へ向って移動したときに予め定められた方向に所定角度だけ方向転換され、方向転換部には溝形ガイドが接続され、この溝形ガイド内をケーブル収容具の方向転換された部分が第１走行部として延在し、ケーブル収容具はこの第１走行部に続く予め定められた半径のほぼ半円形の弧状転回部及びこの弧状転回部に続く第２走行部を形成し、第２走行部の端部が車両ボデーに固定的に連結される。
【００２７】
本発明に係るスライドドア装置の特に省スペース対策に適合した実施形態においては、ガイドレールの後端部、即ち車両後部側に向いた端部にケーブル収容具のための方向転換部が設けられ、この方向転換部によってケーブル収容具が車両後部へ向けて移動したときに予め定められた方向に所定角度だけ方向転換されるようになっている。この方向転換部には好ましく溝形ガイドが続き、この溝形ガイド内をケーブル収容具の方向転換された部分が第１走行部として延在し、ケーブル収容具はこの第１走行部に続く予め定められた半径のほぼ半円形の弧状転回部及びこの弧状転回部に続く第２走行部を形成し、第２走行部の端部が車両ボデーに固定的に連結される。
【００２８】
従ってケーブル収容具のための方向転換部はガイドレールの後端部、即ち車両後部側に向いた端部に設けることができ、この方向転換部によってケーブル収容具が車両後部へ向けて移動したときに予め定められた方向に所定角度だけ方向転換される。
【００２９】
ケーブル収容具のための方向転換部は、ガイドレールの車両端部側、即ち車両の前後いずれかの端部に向いた一端部、又はガイド構体の溝形又はハウジング状部分に設けることができる。従って方向転換は「自由」に、即ち他の補助手段なしに達成することができ、これに関連してガイド構体のガイド領域に適合する賦形を施しておくことも勿論可能である。特に方向転換は静止部材の内部で生起させることができ、ケーブル収容具を方向転換させるための可動部品は完全に省くことができる。従って方向転換は、ケーブル収容具をハウジング状に包囲又は収容するためにいずれにせよ必要である部材によって実質的に又は完全に果たすことが可能である。この場合、方向転換部はガイド構体の個別部品として構成することができ、場合によってはガイド構体の隣接部分から離間させておくこともできる。従って方向転換はケーブル収容具の外向きに湾曲した側で生起させることができる。自由な方向転換によって配列全体が特に省スペースに適合した小形のものとなり、故障し難く、簡単に整備することができ、更にはケーブル収容具を簡単に交換することも可能となる。
【００３０】
ガイドレールの一端、即ち車両の前又は後部側に向いたガイドレール端部におけるケーブル収容具の第１走行部の方向転換は、例えば約９０°又は約１２０〜１８０°、特に約１８０°の範囲に亘って生起させることができる。
【００３１】
ガイドレールの一端、即ち車両の前又は後部側に向いたガイドレール端部におけるケーブル収容具の第１走行部の方向転換の湾曲と、第１走行部と第２走行部との間におけるケーブル収容具のほぼ半円形の弧状転回部は、ケーブル収容具の長手方向に関して同一方向の曲がりを形成していることが好ましい。この場合、第２走行部はそれぞれ方向転換部に続く第１走行部の二つの部分領域の間に含まれた領域内に配列されていてもよい。
【００３２】
スライドドアに隣接してほぼ水平に導かれるケーブル収容具は、方向転換部においてほぼ垂直な方向、即ち車両に関して「上向き」又は「下向き」に、或いはスライドドアの開方向への移動方向とは逆の方向に方向転換される。
【００３３】
溝形ガイドは特にほぼ直方体状の細長いガイドハウジングとして構成することができ、この場合、ガイドハウジングの一端にはケーブル収容具の方向転換された部分を挿通するための開口を設け、ガイドハウジング内の互いに対面する２つの長手内側面でケーブル収容具の第１及び第２走行部の各外側面を案内するようにするとよい。
【００３４】
好ましくは、溝形ガイドは車両ボデーの支柱（ピラー）内に設けられる。
【００３５】
本発明に係るスライドドア装置は、スライドドアをガイドレールに沿って移動させるための駆動装置を更に備えることができる。
【００３６】
好適な一実施形態において、駆動装置は車両ボデー側に配置された可逆モータと該モータによって駆動される牽引装置とを有し、牽引装置がガイドレールの長手方向で保持アームの両端部に結合されるか或いは保持アームに固定され、牽引装置によって保持アームが可逆モータの回転方向に応じてガイドレールに沿って双方向に移動可能である。
【００３７】
牽引装置は、保持アームの両端部にそれぞれ各一端が連結された２つの牽引ケーブルを有していてもよく、この場合、各牽引ケーブルはガイドレールに沿って延設されると共に各牽引ケーブルの各他端が方向転換されて駆動ユニットに連結され、この駆動ユニットが可逆モータの回転方向に応じて一方又は他方の牽引ケーブルに牽引力を印加する。
【００３８】
一方、牽引装置は可逆モータによりピニオンを介して駆動可能な歯付ベルトによって構成することもできる。
【００３９】
この歯付ベルトは、無端ベルトとして保持アーム上の一カ所で固定するか、或いは両端を保持アームに結合して一対のプーリによって案内するかのいずれでもよい。
【００４０】
別の実施形態においては、駆動装置はスライドドア内に配置されたモータと、このモータによって駆動されるように保持アームに設けられたピニオンと、このピニオンと噛み合うようにガイドレール上に長手方向に配列された歯列とを有する。
【００４１】
スライドドアが移動する領域内で車両ボデーの外面にガイドレールとガイド構体を配置する場合、スライドドアの移動案内を支援するために好ましくは少なくとも１つの第２ガイドレールがドア開口部に沿って該開口部の上部及び／又は下部で車両ボデー側に配置されると共に該第２ガイドレールに沿って移動可能な第２ガイドエレメントが設けられ、この第２ガイドエレメントが第２保持アームを介してスライドドアの前端部、即ち車両前部側に向いたスライドドア端部に連結される。
【発明を実施するための最良の形態】
【００４２】
本発明による幾つかの好適な実施形態を図面と共に詳述すれば以下の通りである。
【００４３】
図１〜図６に示す第１実施形態によるスライドドア装置は第１ガイドレール１を有し、このガイドレール内には第１ガイドエレメント２がガイドレール１の長手方向に移動可能に配置されている。ガイドレール１は、スライドドア３で閉鎖されるドア開口部の近傍位置において車両ボデー（図示せず）の外面に配置されている。ガイドレール１は、特に図４〜図６に示すように車両ボデーのドア開口部近傍領域に配置され、この領域はドア開閉時にスライドドア３が押されて移動する範囲に亘っている。
【００４４】
スライドドア３には、垂直な枢動軸心を有するヒンジ４によって保持アーム５の一端部が枢動可能に連結され、保持アームの他端部は同様に垂直な枢動軸心を有する別のヒンジ６によってガイドエレメント２に枢動可能に連結されている。
【００４５】
図１〜図３に示すように、スライドドア３が閉鎖位置にあるときは、保持アーム５はほぼ第１ガイドレール１の長手方向でスライドドア３側へ向いている。スライドドア３を開放するときには、スライドドアは湾曲した移動軌跡に沿ってドア開口部から外方へ案内され、この場合、保持アーム５は図４〜図６に示すように外向きに枢動される。
【００４６】
スライドドア３の開閉移動を案内するために、図１〜図６の各右側部分に示したように第２ガイドレール７が車両ボデーのドア開口部に沿った下部領域に設けられている。第２ガイドレール７の前部領域、即ち車両前部側に向いた領域は、ドアを開ける際にスライドドア３をドア開口部の外方へ案内し、またドアを閉じる際にスライドドアをドア開口部内に引き込むために車両の室内側へ向けて湾曲されている。第２ガイドレール７内には第２ガイドエレメント８がガイドレール７に沿って移動可能に配置され、この第２ガイドエレメントは、保持アーム９によってスライドドア３の前端部、即ち車両前部側に向いた端部の下部領域に結合されている。第２ガイドレール７は溝形ガイドとして構成され、長手方向に延在する上向きの開口を備えている。第２ガイドエレメント８は、溝形ガイドレール７内で転動可能な転子を備えている。
【００４７】
車両ボデーのドア開口部に沿った上部領域にも第２ガイドレール７に対応した形状の第３ガイドレールが設けられている（図示せず）。この第３ガイドレールは、スライドドアの前端部上部領域に取付けられた保持アーム（第２保持アーム９に対応）を介してスライドドア３の開閉移動を案内し、この保持アームに第３ガイドレース内で転動可能な転子を有する第３ガイドエレメント（第２ガイドエレメント８に対応）が配置されている。
【００４８】
第１ガイドレール１は長手方向に延在して側方外部に開口した開口部を備えたガイド溝を有し、このガイド溝を第１保持アーム５が通過可能である。ガイドレール１の頂面１０は逆Ｕ字状の断面形状に造形されている。
【００４９】
第１ガイドエレメント２は移動台車の形態に構成されており、下部転子１１で溝形ガイドレール１の底面１２上を移動可能である。この台車は更にガイドレール１の長手方向で離間した２つの横向きガイドローラ１３、１４を有し、これらのガイドローラは逆Ｕ字形断面形状の頂面１０の両側の縦向き内壁面上を転動する。このような構成により、台車形態の第１ガイドエレメント２はスライドドア３の開閉に際して保持アーム５から横向きに作用する力による傾動を起こすことなくガイドレール１内を移動可能である。
【００５０】
更に、図１〜図６に示すように、ケーブル収容具１５は第１ガイドレール１内に配置され、ガイドレール１に沿って移動可能である。ケーブル収容具１５は、水平な枢動軸心の周りで互いに枢動可能に連結された複数のリンク部材１６を備えている。各リンク部材１６は、両側壁（詳細には図示せず）と、これら両側壁の間を結合する上部及び下部横断部材とを有し、リンク部材同士の両側壁の対面端部で枢着されて互いに枢動可能である。リンク部材１６同士の枢動可能な連結は、例えば各リンク部材の間を弾性曲げ変形する連結帯片で連結するなど、別の公知の手段によって実現することも可能である。
【００５１】
従って、このようなエネルギーガイドチェーン形態のケーブル収容具は、スライドドア３内に配置された電気機器に電力を供給するための電気配線を内部に収容して、この電気配線を車両ボデー側の接続部からスライドドア３側の接続部へと導くのに利用される。
【００５２】
エネルギーガイドチェーン形態のケーブル収容具１５は一端に端部リンク部材１７を備えており、この端部リンク部材は固定ボルトなどの接続エレメントによって台車形式の第１ガイドエレメント２に連結されている。ケーブル収容具１５は、ガイドエレメント２の移動に応じてガイドレール１に沿って往復移動される。この場合、ガイドレール１内においてケーブル収容具１５は溝形ガイドレール１の底面１２上を滑動し、ガイドレール１の車両室内側に向いた側壁１９により横方向に関して案内される。
【００５３】
ケーブル収容具１５の端部リンク部材１７からは内部に収容された電気配線２０の端部が導出され、保持アーム５を介してスライドドア３側の接続部に向けて挿通されている。
【００５４】
図１〜図６に示す実施形態において、但し後述の別の実施形態において同様であるが、ケーブル収容具１５の少なくともガイドエレメント側の隣接領域１５ａは、好ましくは方向転換部２１側へ延在する領域も含めて、直接的にガイドエレメントのための軌道内を移動する。
【００５５】
更に、図１〜図６から判るように、ケーブル収容具１５はガイドレール１の端部、即ちスライドドア３から遠い方の端部で第１ガイドレール１から外へ出ており、次いで固定配置された方向転換部２１によって上向きに方向転換されて別の固定ガイドハウジング２２内へ導かれている。ケーブル収容具１５は、方向転換部２１を介してガイドハウジング２２内に延在する第１走行部２３を形成し、この第１走行部にほぼ半円形の弧状転回部２４が続き、この弧状転回部に第２走行部２５が続いている。第２走行部２５の自由端部ではケーブル収容具１５が別の端部リンク部材２６によりガイドハウジング２２に固定され、従ってこの箇所で車両ボデーに対して固定されている。
【００５６】
特に図２と図５を比較すれば判るように、ガイドハウジング２２はケーブル収容具の貯留部として機能するものであって、スライドドア３に連結された台車形態のガイドエレメント２がケーブル収容具１５の一端部と共に第１ガイドレール１内を移動する際にはガイドハウジング２２内におけるケーブル収容具１５の貯留長さが変化する。
【００５７】
このガイドハウジング２２は、車両ボデーの支柱（ピラー）内にコンパクトに配置されている。このような構成によれば、スライドドア３に連結された保持アーム５を案内するための第１ガイドレール１を備えた車両ボデーに対して、ケーブル収容具１５を方向転換部２１及び垂直ガイドハウジング２２とセットにして追加的に組み込むことができる。
【００５８】
図示のように、車両ボデー側の端部リンク部材２６から導出された電気配線２０はプラグ２７によって車両ボデー側の配線と接続される。
【００５９】
車両ボデーには、スライドドア３をガイドレール１及び７に沿って動力で移動させるための駆動装置（図示せず）が設けられており、この駆動装置は車両ボデー側に配置された可逆モータと、このモータによって駆動される牽引装置とを有している。牽引装置は、ガイドレール１の長手方向で台車形態のガイドエレメント２に結合され、また牽引装置によってガイドエレメント２がモータの回転方向に応じてガイドレール１に沿って双方向に移動可能である。牽引装置はガイドエレメント２の両端部にそれぞれ連結された２つの牽引ケーブル２８、２９を有し、各牽引ケーブルはガイドレール１に沿って延設され、それぞれの他端がプーリ（図示せず）で向きを変えられて駆動ユニットに連結されている。駆動ユニットは車両ボデー側に設置された動力ユニットであり、上記可逆モータの回転方向に応じて一方又は他方の牽引ケーブル２８、２９に牽引力を印加する。
【００６０】
第１ガイドレールで構成されるガイド構体の一端部、即ち車両の前後いずれか一方の端部側、図示の例では図中で左側の車両後部側に向いた端部の近傍に、ケーブル収容具１５のための方向転換部２１が車両ボデーに固定設置されており、この方向転換部によってケーブル収容具が車両端部側へ移動したときに予め定められた角度だけ特定の方向に方向転換されるようになっている。方向転換部にはガイドハウジング２２による溝形ガイドが接続されており、この溝形ガイド内では方向変換後のケーブル収容具１５が第１走行部２３を形成し、この第１走行部に予め定められた半径を有するほぼ半円形の弧状転回部２４が続き、この弧状転回部に第２走行部２５が続き、第２走行部の端部は車両ボデーに固定されている。
【００６１】
図示の例では、ケーブル収容具１５のための方向転換部は第１ガイドレールの車両後部側に向いた後端部近傍に設けられている。
【００６２】
ケーブル収容具１５のための方向転換部は溝形ガイド又はガイドハウジングの一端部、即ち車両前後いずれか一方の端部側に向いた端部の近傍に形成されており、この例では固定配置の方向転換部２１を備えている。第１ガイドレールの端部は対応した形状を有している。これに関して、溝形ガイド又はガイドハウジングの一端部近傍に形成される方向転換部はガイドレールの延長部として構成してもよく、このことは他の全ての実施形態についても言えることである。
【００６３】
ガイドレールの一端部、即ち車両前後いずれか一方の端部側に向いた端部の近傍におけるケーブル収容具１５の第１走行部に対する方向転換は本実施形態では約９０°の方向転換（図１）であるが、約１８０°の方向転換（図２７）とすることもできる。本実施形態において、車両前後いずれか一方の端部側に向いたガイドレール端部近郷での第１走行部の方向転換の湾曲と、第１走行部と第２走行部との間におけるケーブル収容具１５のほぼ半円形の弧状転回部は、ケーブル収容具１５の長手伸長に関して同一方向の曲がりを形成している。
【００６４】
図７〜図１２に示す第２実施形態によるスライドドア装置では、図１〜図６に示した第１実施形態の変更態様として、スライドドア３から遠い方の側でガイドレール１から外に出たケーブル収容具１５が９０°下方に向けて方向転換される。従って、ケーブル収容具１５のための貯留部として機能するガイドハウジング２２は方向転換部２１から下方に延在しており、このガイドハウジングはやはり車両ボデーの支柱内にコンパクトに配置することができる。ケーブル収容具の第２走行部２５の自由端部は、第１実施形態の場合と同様にガイドハウジング２２に固定され、従って車両ボデーに対して固定配置されている。端部リンク部材から導出される電気配線２０はプラグ２７によって車両ボデー側の接続部に接続可能である。
【００６５】
上述以外の点については図７〜図１２に示すスライドドア装置は図１〜図６に示したスライドドア装置と同等であり、従って対応する部分には図１〜図６と相応する符号を付してある。
【００６６】
図１３〜図１８に示す第３実施形態によるスライドドア装置は、エネルギーガイドチェーン形式のケーブル収容具１５がガイドレール１内で横倒しに寝かせて配置されている点が前述の第１及び第２実施形態と異なっている。即ち各リンク部材１６の枢動軸心は垂直方向を向いている。
【００６７】
ケーブル収容具１５の係る配置に対応して、図１３〜図１８に示すように、スライドドア３から遠い方の端部でガイドレール１から外に出る部分のケーブル収容具１５は水平面内において車両室内側へ向かう方向転換を受けることになる。この目的で、方向転換部２１と、ケーブル収容具１５の貯留部として機能するガイドハウジング２２は水平面内に寝かせて配置されており、これらも車両ボデーの最適な位置に配置可能である。
【００６８】
上述以外の点については図１３〜図１８に示す第３実施形態は既述の各実施形態と同等である。
【００６９】
図１９〜図２４に示す第４実施形態は図１〜図６に示した第１実施形態と大略同等であるが、相違点として第１ガイドレール３０が閉じた状態のスライドドア３側に向いた端部に水平面内において車両室内側へ向けて湾曲した部分３１を有している。この湾曲部３１は、スライドドア３を閉じるときにガイドエレメント２に剛性に固定された保持アーム３２を介してスライドドア３をドア開口部内へ、或いはスライドドア３を開くときにスライドドア３をドア開口部から外方へ案内することを可能としている。
【００７０】
方向転換部２１と、ケーブル収容具１５の貯留部として機能するガイドハウジング２２の各配置姿勢から明らかなように、ケーブル収容具１５の各リンク部材１６の枢動軸心は水平方向に向いており、ケーブル収容具１５の方向転換はガイドハウジング２２内に向けて垂直方向に行われる。ガイドレール３０の湾曲部３１の湾曲に追従できるようにするため、ケーブル収容具１５の少なくともガイドエレメント２側に向いた端部領域における各リンク部材は、方向転換の湾曲の角度範囲で定まる或る角度だけ水平面内でも相互に枢動可能でなければならない。この各リンク部材１６の枢動軸心を含む水平面内における枢動旋回性は、対応する領域内の各リンク部材１６を適合する構造設計とすることによって達成可能である。
【００７１】
保持アーム３２をガイドエレメント２に剛性に取付けることを可能としているガイドレール３０の湾曲部３１を、枢動軸心１６と直交する面内でのみ枢動旋回可能なケーブル収容具１５について適用する必要がある場合、ケーブル収容具１５を以下に述べるように改造すればよい。
【００７２】
即ち、一つのやり方では、ケーブル収容具が移動経路のいずれの位置においてもガイドレール３０の直線区域に留まるようにする。この目的で、ケーブル収容具１５の対象となる端部近傍領域を長手方向に延在する接続エレメントの介装によってガイドエレメント２から離間させておき、それによりガイドエレメントが移動経路の末端位置に達したときにケーブル収容具の対応する端部が未だガイドレール３０の直線部分に留まっているようにする。
【００７３】
別のやり方では、ケーブル収容具１５をガイドレール３０内で横倒しに寝かせて配置しておき、各リンク部材１６の枢動軸心が垂直方向に向くようにする。この場合、ケーブル収容具１５は、閉じた状態のスライドドア３から遠い方のガイドレール端部近傍において水平面内で図１９〜図２４とは逆向きに方向転換させる必要がある。この場合、方向転換部２１及びケーブル収容具１５の貯留部として機能するガイドハウジング２２は、図１３〜図１８に示すように横倒しに配置すればよい。
【００７４】
図２５〜図３０に示す第５実施形態ではスライドドア３のガイドエレメント２のためのガイドレール３３がドア開口部に沿って車両ボデーの下部領域に配置され、保持アーム３４は車両前部側に向いたスライドドア３の前端部に配置されている。
【００７５】
ガイドレール３３は、その前端部に車両室内側へ向かう湾曲部３５を有する。このようにして、保持アーム３４をガイドエレメント２に剛性に取付けた場合にもスライドドア３は閉じるときにドア開口部内に向けて移動し、開くときにはドア開口部から外方へ移動することができる。
【００７６】
スライドドア３を閉じた際にケーブル収容具１５がガイドレール３３の湾曲部３５内にまで延在することができるようにするため、特に図２７及び図３０から判るようにケーブル収容具は横倒しに寝かせてガイドレール３３内に配置され、各リンク部材１６の枢動軸心が垂直に向いている。相応の形式で、ガイドレール３３の湾曲部３５から遠い方の端部領域におけるケーブル収容具１５の方向転換はガイドハウジング２２内で水平面内に生じることになる。図２７及び図３０に示すように、この実施形態では１８０°の方向転換が相応する方向転換部３６によって行われ、ケーブル収容具１５の貯留部として機能するガイドハウジング２２はガイドレール３３と平行に配置されている。
【図面の簡単な説明】
【００７７】
【図１】本発明の第１実施形態によるスライドドア装置をドアが閉じた状態で示す斜視図である。
【図２】図１に示したスライドドア装置の側面図である。
【図３】図１に示したスライドドア装置の平面図である。
【図４】ドアが開いた状態のスライドドア装置の斜視図である。
【図５】図４に示したスライドドア装置の側面図である。
【図６】図４に示したスライドドア装置の平面図である。
【００７８】
【図７】本発明の第２実施形態によるスライドドア装置をドアが閉じた状態で示す斜視図である。
【図８】図７に示したスライドドア装置の側面図である。
【図９】図７に示したスライドドア装置の平面図である。
【図１０】ドアが開いた状態のスライドドア装置の斜視図である。
【図１１】図１０に示したスライドドア装置の側面図である。
【図１２】図１０に示したスライドドア装置の平面図である。
【００７９】
【図１３】本発明の第３実施形態によるスライドドア装置をドアが閉じた状態で示す斜視図である。
【図１４】図１３に示したスライドドア装置の側面図である。
【図１５】図１３に示したスライドドア装置の平面図である。
【図１６】ドアが開いた状態のスライドドア装置の斜視図である。
【図１７】図１６に示したスライドドア装置の側面図である。
【図１８】図１６に示したスライドドア装置の平面図である。
【００８０】
【図１９】本発明の第４実施形態によるスライドドア装置をドアが閉じた状態で示す斜視図である。
【図２０】図１９に示したスライドドア装置の側面図である。
【図２１】図１９に示したスライドドア装置の平面図である。
【図２２】ドアが開いた状態のスライドドア装置の斜視図である。
【図２３】図２２に示したスライドドア装置の側面図である。
【図２４】図２２に示したスライドドア装置の平面図である。
【００８１】
【図２５】本発明の第５実施形態によるスライドドア装置をドアが閉じた状態で示す斜視図である。
【図２６】図２５に示したスライドドア装置の側面図である。
【図２７】図２５に示したスライドドア装置の平面図である。
【図２８】ドアが開いた状態のスライドドア装置の斜視図である。
【図２９】図２８に示したスライドドア装置の側面図である。
【図３０】図２８に示したスライドドア装置の平面図である。
【符号の説明】
【００８２】
１：第１ガイドレール
２：第１ガイドエレメント
３：スライドドア
４：ヒンジ
５：保持アーム
６：ヒンジ
７：第２ガイドレール
８：第２ガイドエレメント
９：保持アーム
１０：頂面
１１：下部転子
１２：底面
１３：ガイドローラ
１４：ガイドローラ
１５：ケーブル収容具
１６：リンク部材
１７：端部リンク部材
１９：側壁
２０：電気配線
２１：方向転換部
２２：ガイドハウジング
２３：第１走行部
２４：弧条転回部
２５：第２走行部
２６：端部リンク部材
２７：プラグ
２８：牽引ケーブル
２９：牽引ケーブル
３０：第１ガイドレール
３１：湾曲部
３２：保持アーム
３３：ガイドレール
３４：保持アーム
３５：湾曲部
３６：方向転換部
【図１】
2007529354.tif 000003
【図２】
2007529354.tif 000004
【図３】
2007529354.tif 000005
【図４】
2007529354.tif 000006
【図５】
2007529354.tif 000007
【図６】
2007529354.tif 000008
【図７】
2007529354.tif 000009
【図８】
2007529354.tif 000010
【図９】
2007529354.tif 000011
【図１０】
2007529354.tif 000012
【図１１】
2007529354.tif 000013
【図１２】
2007529354.tif 000014
【図１３】
2007529354.tif 000015
【図１４】
2007529354.tif 000016
【図１５】
2007529354.tif 000017
【図１６】
2007529354.tif 000018
【図１７】
2007529354.tif 000019
【図１８】
2007529354.tif 000020
【図１９】
2007529354.tif 000021
【図２０】
2007529354.tif 000022
【図２１】
2007529354.tif 000023
【図２２】
2007529354.tif 000024
【図２３】
2007529354.tif 000025
【図２４】
2007529354.tif 000026
【図２５】
2007529354.tif 000027
【図２６】
2007529354.tif 000028
【図２７】
2007529354.tif 000029
【図２８】
2007529354.tif 000030
【図２９】
2007529354.tif 000031
【図３０】
2007529354.tif 000032
【手続補正書】
【提出日】平成17年12月3日(2005.12.3)
【手続補正１】
【補正対象書類名】特許請求の範囲
【補正対象項目名】全文
【補正方法】変更
【補正の内容】
【特許請求の範囲】
【請求項１】
車両ボデーのドア開口部にスライドドア（３）を備えた車両のためのスライドドア装置であって、ドア開口部の近傍で車両ボデーの表面又は内部に取付可能なガイドレール（１；３０；３３）と、保持アーム（５；３２；３４）によりスライドドア（３）に結合されてガイドレール（１；３０；３３）に沿って移動可能なガイドエレメント（２）と、電気配線（２０）を収容して車両ボデー側の接続部からスライドドア（３）側の接続部へと導くために相互に枢動可能に連結された複数のリンク部材（１６）からなるケーブル収容具（１５）とを備え、ケーブル収容具（１５）がガイド構体の内部で案内されているものにおいて、ケーブル収容具（１５）のためのガイド構体がスライドドア（３）のガイドエレメント（２）のためのガイドレール（１；３０；３３）に一体化され、ガイドレール又はガイド構体の車両端部側に向いた一端にケーブル収容具（１５）のための方向転換部が設けられ、この方向転換部によってケーブル収容具が車両端部へ向って移動したときに予め定められた方向に所定角度だけ方向転換され、方向転換部には溝形ガイドが接続され、この溝形ガイド内をケーブル収容具（１５）の方向転換された部分が第１走行部（２３）として延在し、ケーブル収容具は第１の走行部に続く予め定められた半径のほぼ半円形の弧状転回部（２４）及び該弧状転回部に続く第２走行部（２５）を形成し、第２走行部の端部が車両ボデーに固定的に連結され、車両端部側に向いたガイドレール端部又はガイド構体端部におけるケーブル収容具（１５）の第１走行部の方向転換の湾曲と、第１走行部と第２走行部との間におけるケーブル収容具（１５）のほぼ半円形の弧状転回部とが、ケーブル収容具（１５）の長手方向に関して同一方向の曲がりを形成していることを特徴とするスライドドア装置。
【請求項２】
開閉時にスライドドア（３）が通過する領域内における車両ボデーの表面又は内部にガイドレール（１；３０）が配置され、スライドドア（３）の車両後部側に向いた後端部に保持アーム（５；３２）が配置されていることを特徴とする請求項１に記載のスライドドア装置。
【請求項３】
ガイドレール（３３）がドア開口部に沿って車両ボデーの下部領域の表面又は内部に配置され、保持アーム（３４）がスライドドア（３）の車両前部側に向いた前端部に配置されていることを特徴とする請求項１に記載のスライドドア装置。
【請求項４】
ガイドレールがドア開口部に沿って車両ボデーの上部領域の表面又は内部に配置され、保持アームがスライドドアの前端部に配置されていることを特徴とする請求項１に記載のスライドドア装置。
【請求項５】
保持アーム（５；３２；３４）が、ほぼ垂直な軸心周りで互いに枢動可能に連結された２つのアーム部材を有しているか、或いはスライドドア（３）に枢動可能に取り付けられていることを特徴とする請求項１〜４のいずれか１項に記載のスライドドア装置。
【請求項６】
ガイドレール（３０、３３）が、車両前部側に向いた前端部にほぼ水平面内で延在する湾曲部（３１、３５）を有することを特徴とする請求項１〜５のいずれか１項に記載のスライドドア装置。
【請求項７】
ケーブル収容具（１５）の一端が接続エレメントを介してガイドエレメント（２）に連結されていることを特徴とする請求項１〜６のいずれか１項に記載のスライドドア装置。
【請求項８】
接続エレメントがガイドエレメント（２）に対してほぼ垂直な軸心周りに枢動可能であることを特徴とする請求項６及び７に記載のスライドドア装置。
【請求項９】
電気配線（２０）がケーブル収容具の一端から導出されて保持アーム（５；３２、３４）を介してスライドドア（３）に通されていることを特徴とする請求項１〜８のいずれか１項に記載のスライドドア装置。
【請求項１０】
ガイドレール（１；３０、３３）が長手方向に延在する開口部を備えたガイド溝を有すると共に該ガイド溝内を保持アーム（５、３２、３４）が通過可能であり、ガイドエレメント（２）が少なくとも１つの転子（１１）を有すると共に該転子がほぼ水平な軸心周りで回転可能にガイドレール（１；３０；３３）のガイド溝内に配置されて保持アーム（５；３２；３４）に取り付けられていることを特徴とする請求項１〜９のいずれか１項に記載のスライドドア装置。
【請求項１１】
ケーブル収容具（１５）が端部リンク部材（１７）を有し、この端部リンク部材が弓形部を介して保持アームの一部、特にガイドレール（３０；３３）内に延在する保持アーム部分（３２；３４）に結合され、弓形部が端部リンク部材（１７）及び／又はガイドレール（３０；３３）内に延在する保持アーム部分（３２；３４）にほぼ垂直な軸心周りで枢動可能に取り付けられていることを特徴とする請求項８及び１０に記載のスライドドア装置。
【請求項１２】
ケーブル収容具（１５）のための方向転換部がガイドレール又はガイド構体の車両後部側に向いた後端部に設けられ、該方向転換部によってケーブル収容具が車両後部へ向けて移動したときに予め定められた方向に所定角度だけ方向転換されることを特徴とする請求項１〜１１のいずれか１項に記載のスライドドア装置。
【請求項１３】
ケーブル収容具（１５）のための方向転換部が、車両端部側に向いたガイドレールの端部又はガイド構体の溝形ハウジング状部分（２１ａ）からなることを特徴とする請求項１〜１２のいずれか１項に記載のスライドドア装置。
【請求項１４】
車両端部側に向いたガイドレール端部又はガイド構体端部におけるケーブル収容具（１５）の第１走行部の方向転換の角度範囲が約９０°又は約１２０〜１８０°に亘っていることを特徴とする請求項１〜１３のいずれか１項に記載のスライドドア装置。
【請求項１５】
スライドドアに隣接してほぼ水平に導かれるケーブル収容具（１５）が方向転換部においてほぼ垂直な方向又はスライドドアの開方向への移動方向とは逆の方向に方向転換されることを特徴とする請求項１〜１４のいずれか１項に記載のスライドドア装置。
【請求項１６】
溝形ガイドがほぼ直方体状の細長いガイドハウジング（２２）として構成され、ガイドハウジングの一端にはケーブル収容具（１５）の方向転換された部分を挿通するための開口が設けられ、ガイドハウジング内の互いに対面する２つの長手内側面でケーブル収容具の第１及び第２走行部（２３、２５）の各外側面が案内されていることを特徴とする請求項１〜１５のいずれか１項に記載のスライドドア装置。
【請求項１７】
溝形ガイドが車両ボデーの支柱内に設けられていることを特徴とする請求項１〜１６のいずれか１項に記載のスライドドア装置。
【請求項１８】
スライドドア（３）をガイドレール（１；３０；３３）に沿って移動させる駆動装置を更に備えたことを特徴とする請求項１〜１７のいずれか１項に記載のスライドドア装置。
【請求項１９】
駆動装置が車両ボデー側に配置された可逆モータと該モータによって駆動される牽引装置とを有し、牽引装置がガイドレール（１；３０；３３）の長手方向でガイドエレメント（２）又は保持アーム（５；３２；３４）に結合され、牽引装置によってガイドエレメント（２）又は保持アーム（５；３２；３４）が可逆モータの回転方向に応じてガイドレール（１；３０；３３）に沿って双方向に移動可能であることを特徴とする請求項１８に記載のスライドドア装置。
【請求項２０】
牽引装置がガイドエレメント（２）又は保持アーム（５；３２；３４）の両端部にそれぞれ連結された２つの牽引ケーブル（２８；２９）を有し、各牽引ケーブルがガイドレール（１；３０；３３）に沿って延設されると共に、各牽引ケーブルの各他端が、可逆モータの回転方向に応じて一方又は他方の牽引ケーブル（２８、２９）に牽引力を印加する駆動ユニットに連結されていることを特徴とする請求項１９に記載のスライドドア装置。
【請求項２１】
牽引装置が可逆モータによりピニオンを介して駆動可能な歯付ベルトによって構成されていることを特徴とする請求項２０に記載のスライドドア装置。
【請求項２２】
駆動ユニットが、スライドドア（３）内に配置されたモータと、このモータによって駆動されるように保持アームに設けられたピニオンと、このピニオンと噛み合うようにガイドレール（１；３０；３３）上に長手方向に配列された歯列とを有することを特徴とする請求項１８〜２１のいずれか１項に記載のスライドドア装置。
【請求項２３】
スライドドアの移動を案内するために少なくとも１つの第２ガイドレール（７）がドア開口部に沿って該開口部の上部及び／又は下部で車両ボデー側に配置されると共に、第２ガイドレール（７）に沿って移動可能な第２ガイドエレメント（８）が設けられ、この第２ガイドエレメントが第２保持アーム（９）を介してスライドドア（３）の車両前部側に向いた前端部に連結されていることを特徴とする請求項１〜２２のいずれか１項に記載のスライドドア装置。
【請求項２４】
ケーブル収容具（１５）のガイドエレメント（２）に隣接する部分（１５ａ）が直接にガイドエレメント（２）の軌道内を移動することを特徴とする請求項１〜２３のいずれか１項に記載のスライドドア装置。
【手続補正２】
【補正対象書類名】明細書
【補正対象項目名】０００５
【補正方法】変更
【補正の内容】
【０００５】
このように、ガイドレール及びその内部で転動する転子、更にはガイド構体及びその内部で案内されるエネルギーガイドチェーンを装備したシステムは、車両ボデーのドア開口部近辺に相応に大きなスペースを必要とし、特にエネルギーガイドチェーンのガイド構体を配置するための充分な空間をガイドレールとドア開口部の間に必要とする。このため、電動ドア開閉機構をオプション装備としてガイド構体とケーブル収容具とからなるユニットを追加的に設置しようとする場合に装着に利用可能な空間が問題となることがあり、この場合は該当箇所における車両ボデーの構造を改変する必要が生じる。
特許文献２には、電動モータで駆動される駆動ロール及びこの駆動ロールと別の駆動ロール間を循環する無端歯付ベルトを備えた車両用スライドドア装置が開示されている。歯付ベルトは牽引アームを介してローラ担持体に結合されているので、スライドドアは牽引されて車両開口部を開閉する。ドアの開閉運動に際して給電コードはローラから巻きバネのばね力に抗して繰り出され、或いは巻き取られる。ローラから繰り出された給電コードは下部レール内に配置されているので外部の露出されることがない。
【特許文献２】特開平１１−９３５１４号公報  また、特許文献３には、一端部と基端部との間に複数の中間位置を有するガイド内に配置されたハーネス配索装置を有する車両用スライドドア装置が開示されている。配索装置は細長くやや湾曲した配列からほぼＵ字状の折り返し配列に移行できる。スライドドアに固定されたローラ取付具には方向変換手段が固定され、この方向変換手段は完全に開放された方向変換ガイド部と完全に閉じられた方向変換ガイド部とを有し、この方向変換手段はドアの開放動作初期と閉鎖動作初期の双方において配索装置のガイドが逆方向へ向かうのを阻止するために配索装置のガイド端に接している。
【特許文献３】特開２００２−２２５６４４号公報
【手続補正３】
【補正対象書類名】明細書
【補正対象項目名】０００７
【補正方法】変更
【補正の内容】
【０００７】
本発明によれば、この課題は、冒頭に指摘した種類のスライドドア装置に請求項１の特徴をもたせることによって解決される。
【手続補正４】
【補正対象書類名】明細書
【補正対象項目名】００２６
【補正方法】変更
【補正の内容】
【００２６】
ガイドレールの車両端部側に向いた一端、即ち車両前部又は車両後部側に向いた端部にはケーブル収容具のための方向転換部が設けられ、この方向転換部によってケーブル収容具が車両端部へ向って移動したときに予め定められた方向に所定角度だけ方向転換され、方向転換部には溝形ガイドが接続され、この溝形ガイド内をケーブル収容具の方向転換された部分が第１走行部として延在し、ケーブル収容具はこの第１走行部に続く予め定められた半径のほぼ半円形の弧状転回部及びこの弧状転回部に続く第２走行部を形成し、第２走行部の端部が車両ボデーに固定的に連結される。
【手続補正５】
【補正対象書類名】明細書
【補正対象項目名】００３１
【補正方法】変更
【補正の内容】
【００３１】
ガイドレールの一端、即ち車両の前又は後部側に向いたガイドレール端部におけるケーブル収容具の第１走行部の方向転換の湾曲と、第１走行部と第２走行部との間におけるケーブル収容具のほぼ半円形の弧状転回部は、ケーブル収容具の長手方向に関して同一方向の曲がりを形成している。この場合、第２走行部はそれぞれ方向転換部に続く第１走行部の二つの部分領域の間に含まれた領域内に配列されていてもよい。
【国際調査報告】
2007529354.tif 000033
2007529354.tif 000034
2007529354.tif 000035
2007529354.tif 000036
2007529354.tif 000037
2007529354.tif 000038